(57)【特許請求の範囲】
【請求項１】
本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を上記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段を有し、前記発熱手段の金属製の内枠は、円板形状の前記除湿ローターの周縁部を覆う断面形状がＬ字形状である除湿ローター保持枠と、隙間を有し設置され、前記発熱手段の金属製の前記内枠の断面形状を前記除湿ローターおよび前記除湿ローターの周縁部から内方へ延びた突形状の前記除湿ローター保持枠に沿うように近接して段状に形成し、前記発熱手段の前記内枠と前記発熱手段の前記除湿ローター保持枠との隙間を屈曲して取ることにより空気の漏れを少なく抑えることを特徴とし、前記発熱手段の前記内枠側の前記除湿ローター保持枠を耐熱性合成樹脂製にしてなる除湿機。
【発明の詳細な説明】
【技術分野】
【０００１】
本発明は、室内空気を除湿する除湿機に関するものである。
【背景技術】
【０００２】
従来、この種の除湿機は、図６および図７に示すものが一般的であった。
【０００３】
以下、その除湿機について図を参照しながら説明する。
【０００４】
図に示すように、本体１０１内部に、駆動モーター１０２により回転される空気中の水分を吸脱着するための除湿ローター１０３と、この除湿ローター１０３を加熱する発熱ユニット１０４を設け、発熱ユニット１０４は加熱ヒーター１０４ａを備えている。加熱ヒーター１０４ａで加熱された除湿ローター１０３は高温高湿空気を放出し、この高温高湿空気は熱交換器１０５と、サブ熱交換器１０５ａを通るときに結露水を生成し、この結露水は排水タンク１１１に流れ込む。除湿ローター１０３、発熱手段１０４、熱交換器１０５、サブ熱交換器１０５ａを支持する仕切り板（図示せず）を設けている。また、除湿ローター１０３から熱交換器１０５、サブ熱交換器１０５ａ、発熱ユニット１０４に戻る閉循環経路ａに空気を通風する第１の送風ファン１０６を設け、本体１０１内に室内空気を吸込み、乾燥空気を排出する通風路に第２の送風ファン１０７を設けている。前記発熱ユニット１０４内は送風領域１０４ｃと加熱領域１０４ｄがあり、加熱ヒーター１０４ａと外枠１０４ｂの間に複数の穴を有した遮蔽板１０４ｅを設けることにより、加熱ヒーター１０４ａによる周辺部品への輻射熱を抑制するとともに、送風領域１０４ｃと加熱領域１０４ｄの通過風量を適正に調節する役目をしている。また、前記発熱ユニット１０４の金属製内枠１０４ｆは回転する除湿ローター１０３の金属製除湿ローター保持枠１０３ａとの隙間を０．１ｍｍ〜０．５ｍｍの隙間となるよう設置され、閉循環経路ａからの空気漏れを防止している。また、吹出口１０９近傍に衣類乾燥時に衣類を早く乾燥させるためのヒーター１１０を設けた構成となっている。
【発明の開示】
【発明が解決しようとする課題】
【０００５】
このような従来の除湿機では、発熱ユニットの内枠と除湿ローター保持枠との近接面は小さな隙間を設けているが、互いに平行であるため、閉循環経路の空気が漏れやすく除湿効率が減少するという課題があり、発熱ユニットの内枠と除湿ローター保持枠との隙間からの空気漏れを低減させ、除湿効率を向上させることが要求されている。
【０００６】
また、仕切り板の反り、歪みで発熱ユニットの金属製内枠と除湿ローターの金属製除湿ローター保持枠が回転時に接触し、金属表面のメッキが剥がれて腐蝕したり、金属同士が擦れる異音が発生するという課題があり、回転時に接触してもメッキが剥がれて腐蝕することのない、また、金属同士の擦れ音が発生しないことが要求されている。
【０００７】
本発明は、このような従来の課題を解決するものであり、発熱ユニットの内枠と除湿ローター保持枠との隙間からの空気漏れを低減させ、また、発熱ユニットの内枠と金属製除湿ローター保持枠が回転時に接触した場合に、金属表面のメッキが剥がれて腐蝕したり、異音が発生したりすることがない除湿機を提供することを目的としている。
【課題を解決するための手段】
【００１０】
本発明の除湿機は上記目的を達成するために、本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を上記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段を有し、前記発熱手段の金属製の内枠は、円板形状の前記除湿ローターの周縁部を覆う断面形状がＬ字形状である除湿ローター保持枠と、隙間を有し設置され、前記発熱手段の金属製の前記内枠の断面形状を前記除湿ローターおよび前記除湿ローターの周縁部から内方へ延びた突形状の前記除湿ローター保持枠に沿うように近接して段状に形成し、前記発熱手段の前記内枠と前記発熱手段の前記除湿ローター保持枠との隙間を屈曲して取ることにより空気の漏れを少なく抑えることを特徴とし、前記発熱手段の前記内枠側の前記除湿ローター保持枠を耐熱性合成樹脂製にしてなるものである。
【００１１】
本発明によれば、発熱ユニットの内枠と除湿ローター保持枠との隙間からの空気漏れを低減できる除湿機が得られ、発熱ユニットの内枠と金属製除湿ローター保持枠が回転時に接触した場合に、金属表面のメッキが剥がれて腐蝕したり、異音が発生したりすることがない除湿機が得られる。
【発明の効果】
【００１３】
本発明によれば前記発熱手段の金属製の内枠は、円板形状の前記除湿ローターの周縁部を覆う断面形状がＬ字形状である除湿ローター保持枠と、隙間を有し設置され、前記発熱手段の金属製の前記内枠の断面形状を前記除湿ローターおよび前記除湿ローターの周縁部から内方へ延びた突形状の前記除湿ローター保持枠に沿うように近接して段状に形成したことにより、除湿ローター保持枠との隙間にできる気流の漏れ経路を屈曲して長く取ることができ、漏れを少なく抑えて除湿効率を高く保つことができ、発熱ユニットの内枠側の除湿ローター保持枠を耐熱性合成樹脂製としたことにより、発熱ユニットの金属製の内枠と合成樹脂製の除湿ローター保持枠が接触しても、金属同士が擦れ合わないのでメッキが剥がれて腐蝕するのを防止でき、擦れ音も発生することがない効果のある除湿機を提供できる。
【発明を実施するための最良の形態】
【００１４】
本発明は、本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を上記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段を有し、発熱手段の内枠の断面形状を前記除湿ローターおよび突形状の除湿ローター保持枠に沿うように近接して段状に形成したことにより、発熱手段の内枠と除湿ローター保持枠との間にできる隙間からの気流の漏れ経路を長く取ることができ、気流の漏れを少なくすることができるという作用を有する。
【００１５】
また、発熱手段の内枠側の除湿ローター保持枠を耐熱性合成樹脂製にすることにより、発熱手段の金属製の内枠と除湿ローター保持枠の回転時の接触によるメッキ剥がれと擦れ音を防止できるという作用を有する。
【００１６】
以下、本発明の実施の形態について図面を参照しながら説明する。
【００１７】
（参考の形態１）
図１および図２に示すように、本体１内には空気中の水分を吸着する除湿ローター２と、前記除湿ローターを回転させる駆動手段３と、前記除湿ローターから水分を放出させる発熱ユニット４と、この発熱ユニット４により前記除湿ローター２から放出された高温高湿空気を結露させる熱交換器５と、前記熱交換器を通過した高温高湿空気を上記発熱手段に戻すダクト５ａを内蔵している。前記発熱ユニット４、除湿ローター２、熱交換器５、ダクト５ａは仕切り板（図示せず）によって支持され、本体１内部に固定されている。第１送風手段７により発熱ユニット４、除湿ローター２、熱交換器５、ダクト５ａの順序に通過する空気を閉循環させる閉循環風路ａと、第２送風手段８により熱交換器５を冷却するとともに除湿ローター２に水分を吸着させて吹出口から乾燥空気を送出する風路ｂを形成している。なお閉循環風路ａにおいて、熱交換器５内で結露を起こして生じた結露水は排水タンク９に貯えるようになっている。
【００１８】
また、発熱ユニット４の加熱ヒーター４ａと外枠４ｂとの間には発熱ヒーター４ａ前面を覆うように遮蔽板４ｃを設け、外枠４ｂと遮蔽板４ｃの間に空気層４ｄを設けた構成となっている。
【００１９】
上記構成において、発熱ユニット４の加熱ヒーター４ａからの直接的な輻射熱は遮蔽板４ｃによって遮られ、また、間接的な輻射熱は遮蔽板４ｃと外枠４ｂの間に設けた空気の層４ｄで断熱され、外枠４ｂを介して発熱ユニット４外部へ熱が拡散することを防止できる。すなわち加熱ヒーター４ａの発熱容量を低減することができるとともに、熱ロスのない効率良い除湿運転を行うことができる。
【００２０】
（参考の形態２）
本参考の形態以降において、参考の形態１と同一構成のものは同一番号を付して詳しい説明を省略する。
【００２１】
発熱ユニット４内に設けた遮蔽板４ｃの加熱ヒーター４ａ側の表面は、鏡面仕上げなど光沢性を有する表面処理が施されている。
【００２２】
上記構成において、発熱ユニット４の加熱ヒーター４ａからの直接的な輻射熱は遮蔽板４ｃによって遮られ、また、間接的な輻射熱は遮蔽板４ｃと外枠４ｂの間に設けた空気の層４ｄで断熱され、外枠４ｂを介して発熱ユニット４外部へ熱が拡散することを防止できる。さらに加熱ヒーター４ａからの直接的な輻射熱を遮蔽板４ｃが除湿ローター２側に反射させて熱効率を向上することができるとともに、周辺に逸散する熱ロスを軽減することができる。
【００２３】
したがって、除湿ローター２を従来と同一温度まで加熱する場合は、加熱ヒーター４ａの入力を低減でき、省エネルギーで効率良く除湿運転を行うことができる。
【００２４】
（参考の形態３）
図３に示すように、発熱ユニット４内に設けた遮蔽板４ｃの空気流入側に傾斜面４ｄを設け、遮蔽板４ｃと外枠４ｂの間には空気の層４ｄを介在させた構成としている。
【００２５】
上記構成において、発熱ユニット４の加熱ヒーター４ａからの直接的な輻射熱は遮蔽板４ｃによって遮られ、また、間接的な輻射熱は遮蔽板４ｃと外枠４ｂの間に設けた空気の層４ｄで断熱され、外枠４ｂを介して発熱ユニット４外部へ熱が拡散することを防止できる。さらに傾斜面４ｄが加熱ヒーター４ａ内部へ向かう空気流れを整流して、風速分布を略均一にできるので、加熱ヒーター４ａを通過するときの熱交換効率が改善され、効率良く除湿運転を行うことができる。
【００２６】
（実施の形態１）
図４に示すように発熱ユニット４の内枠１０に凸部１０ａを設け、この凸部１０ａを、除湿ローター２の表面と除湿ローター保持枠１１の凸部１１ａに沿うように微少な距離（０．５ｍｍ以下）を隔てて突出して配設した構成としている。
【００２７】
上記構成において、発熱ユニット４の内枠１０と除湿ローター保持枠１１の間には０．５ｍｍ以下の隙間が段状に形成され、加熱ヒーター４ａで加熱された熱風の漏れを極めて少なく抑えることができ、除湿性能を向上することができる。
【００２８】
図４に示すように、発熱ユニット４の内枠１０側の除湿ローター保持枠１１を耐熱性合成樹脂製にしたもので、金属性に比べて厚みがやや大きくなっている
【００２９】
上記構成において、仕切り板６の反り、歪み等で発熱ユニット４の金属製の内枠１０と樹脂製の除湿ローター保持枠１１が接触した場合は、合成樹脂の表面と金属の接触となるが、金属同士が擦れ合うことがないので、メッキ剥がれや擦れ音の発生がなく、長期間安定して使用することができる。
【００３０】
（参考の形態４）
図５に示すように第２送風手段８と吹出口１２との間に衣類乾燥用の発熱部１３を有し、前記発熱部１３の上面を開口率が小なる金属メッシュ１３ａで覆った構成としている。      
【００３１】
上記構成において、開口率が小なる金属メッシュ１３ａが衣類乾燥用の発熱部内部を流れる風を整流し風速分布を均一にできるので、金属メッシュ１３ａを通過して吹出口１２から吹出される温風温度を均一にでき、効率良く衣類を乾燥することができる。
【図面の簡単な説明】
【００３２】
【図１】本発明の参考の形態１〜４および実施の形態１の除湿機の断面図
【図２】同参考の形態１の発熱ユニットの断面図
【図３】同参考の形態３の発熱ユニットの断面図
【図４】同実施の形態１の発熱ユニットと除湿ローターの断面図
【図５】同参考の形態４の除湿機の背面側上部斜視図
【図６】従来の除湿機の断面図
【図７】同除湿機の発熱ユニットと除湿ローターの断面図
【符号の説明】
【００３３】
１      本体
２      除湿ローター
３      駆動手段
４      発熱ユニット（発熱手段）
４ａ    加熱ヒーター
４ｂ    外枠
４ｃ    遮蔽板
４ｄ    空気層
４ｅ    傾斜面
５      熱交換器
５ａ    ダクト
７      第１送風手段
８      第２送風手段
９      排水タンク
１０    内枠
１１    除湿ローター保持枠
１２    吹出口
１３    発熱部
１３ａ  金属メッシュ
【図１】
0004692568.tif 000002
【図２】
0004692568.tif 000003
【図３】
0004692568.tif 000004
【図４】
0004692568.tif 000005
【図５】
0004692568.tif 000006
【図６】
0004692568.tif 000007
【図７】
0004692568.tif 000008